(57)【要約】      （修正有）【課題】雰囲気の湿度に関係なく、必要なときに十分な濃度の二酸化塩素ガスを発生させることができる、携行可能な二酸化塩素ガス発生装置を提供する。【解決手段】亜塩素酸塩を吸収させた第一の親水性多孔質層１Ａと、酸性物質またはｐＨ緩衝剤を吸収させた第二の親水性多孔質層１Ｂを、直接または他の層を介して重ね、二酸化塩素ガス発生要素１を構成する。これを水不透過性の扁平な袋体２に収納する。袋体には、親水性多孔質層１Ａ、１Ｂに水分を供給するための窓２ａを設ける。【選択図】図２
0003201950.tif 000002
【実用新案登録請求の範囲】
【請求項１】
水不透過性の扁平な袋体と、この袋体に収納された二酸化塩素ガス発生要素とから成り、
この二酸化塩素ガス発生要素は、亜塩素酸塩から成る第一の成分を吸収させた第一の親水性多孔質層と、酸性物質または前記第一の親水性多孔質層に酸性を与え得るｐＨ緩衝剤から成る第二の成分を吸収させた第二の親水性多孔質層とから成り、
前記第一及び前記第二の親水性多孔質層は、直接または他の親水性多孔質層を介して重ねられ、
前記袋体は、前記第一又は前記第二の親水性多孔質層に水分を供給するための窓を有する、二酸化塩素ガス発生装置。
【請求項２】
前記第一及び前記第二の親水性多孔質層が可とう性である、請求項１の二酸化塩素ガス発生装置。
【請求項３】
前記第一及び前記第二の親水性多孔質層が通常は平面を形成する、請求項２の二酸化塩素ガス発生装置。
【請求項４】
前記他の親水性多孔質層が可とう性である、請求項２又は３の二酸化塩素ガス発生装置。
【請求項５】
前記袋体が、前記第一の親水性多孔質層に水分を供給するための窓を有する、請求項１ないし３いずれかの二酸化塩素ガス発生装置。
【請求項６】
前記袋体が、前記第二の親水性多孔質層に水分を供給するための窓を有する、請求項１ないし３いずれかの二酸化塩素ガス発生装置。
【考案の詳細な説明】
【技術分野】
【０００１】  携帯に適する二酸化塩素ガス発生装置に関する考案である。
【背景技術】
【０００２】  ゲル状の安定化二酸化塩素と、それを収容する蓋つき容器と、安定化二酸化塩素に粒状のクエン酸を添加するための孔を具えるクエン酸収納部とから成り、容器の蓋を回すと、その振動でクエン酸収納部の孔から粒状のクエン酸が容器内に落下して、安定化二酸化塩素に添加され、二酸化塩素ガスが発生するように構成した装置が、特開２００９−２５６１４１（特許文献１）に開示されている。【０００３】  この装置によると、二酸化塩素ガスを発生させたいとき容器の蓋を回して、粒状のクエン酸を容器内に落下させ、二酸化塩素ガスを発生させることができる。落下により添加されたクエン酸が反応の結果中和されて、系のｐＨが上昇すると、ガスの発生は止まる。従って、落下したクエン酸の量に対応する量の二酸化塩素ガスが発生した後、ガスの発生は終了する。【０００４】  殺菌（ウィルス除去を含む）や消臭が必要な領域での携行に適した二酸化塩素ガス発生パックが、特開２０１２−２４５４３４（特許文献２）に開示されている。この二酸化塩素ガス発生パックは、水蒸気及び二酸化塩素を透過するガス透過性膜から成る「容器」に「二酸化塩素ガス発生剤」が収納されたガス発生剤パックである。「二酸化塩素ガス発生剤」は、亜塩素酸塩粉末とガス発生調節剤粉末と吸湿剤粉末と吸水性樹脂粉末とガス発生活性化剤との混合物から成る。このガス発生パックは、衣服のポケットやカバンに入れて、殺菌や消臭が必要な場所に持って行ける利点がある。【０００５】  この二酸化塩素ガス発生パックは、吸湿剤粉末により大気中の水分を、ガス透過性膜を通して容器中の亜塩素酸塩、ガス発生調節剤、吸水性樹脂及びガス発生活性化剤の混合物に供給し、亜塩素酸塩とガス発生活性化剤を反応させることを、前提としている。
【先行技術文献】
【特許文献】
【０００６】
【特許文献１】  特開２００９−２５６１４１
【特許文献２】  特開２０１２−２４５４３４
【考案の概要】
【考案が解決しようとする課題】
【０００７】  しかし、特許文献２の二酸化塩素ガス発生パックは、ガス発生混合物中の吸湿剤粉末により大気中の水分を、ガス透過性膜を通して容器中のガス発生混合物に供給し、亜塩素酸塩とガス発生活性化剤を反応させることを前提としているから、雰囲気の湿度が低いとガス発生混合物に十分な水分の供給がなされず、要求される濃度の二酸化塩素ガスが発生しないという欠点がある。【０００８】  特許文献１の二酸化塩素ガス発生装置は、雰囲気の湿度に関係なく、必要になったときに二酸化塩素ガスを発生させることができる利点があるが、厚みがあるため、衣服のポケットやカバンに入れて、殺菌や消臭が必要な場所に持って行くには適していない。また、蓋を回さなくても振動でガスが発生するおそれがある。【０００９】  それ故本考案の目的は、雰囲気の湿度に関係なく、必要になったときに十分な濃度の二酸化塩素ガスを発生させることができる、携行可能な二酸化塩素ガス発生パックを実現することにある。
【課題を解決するための手段】
【００１０】  本考案の上記目的は、水不透過性の扁平な袋体と、この袋体に収納された二酸化塩素ガス発生要素とから成り、この二酸化塩素ガス発生要素が、亜塩素酸塩から成る第一の成分を吸収させた第一の親水性多孔質層と、酸性物質または第一の親水性多孔質層に酸性を与え得るｐＨ緩衝剤から成る第二の成分を吸収させた第二の親水性多孔質層とから成り、第一及び第二の親水性多孔質層は直接または他の親水性多孔質層を介して重ねられ、袋体は、第一又は第二の親水性多孔質層に水分を供給するための窓を有する、二酸化塩素ガス発生装置により達成される。【００１１】  本考案の二酸化塩素ガス発生装置は、第一及び第二の親水性多孔質層が可撓性であってもよい。第一及び第二の親水性多孔質層が通常は平面を形成してもよい。また、第一及び第二の親水性多孔質層の間に介在することがある他の親水性多孔質層も、可とう性であってもよい。【００１２】  親水性多孔質層に水分を供給するため袋体が具える窓は、第一の親水性多孔質層に水分を供給するための窓でもよく、あるいは第二の親水性多孔質層に水分を供給するための窓であってもよい。この窓は、水分供給の必要なとき以外は水分が透過しないよう密閉できるようにしてもよい。これにより、空気中の湿度が特に高いとき二酸化塩素ガスの不本意な発生を防ぐことができる。窓と第一または第二の親水性多孔質層との間に他の親水性多孔質層が介在してもよい。
【考案の効果】
【００１３】  本考案の二酸化塩素ガス発生パックは、雰囲気の湿度に関係なく、必要になったときに十分な濃度の二酸化塩素ガスを発生させることができて、しかも携行可能である。【００１４】  本考案の二酸化塩素ガス発生パックは、雰囲気の湿度が低くても十分な濃度の二酸化塩素ガスを発生させることができる。なぜなら、吸湿剤により大気中の水分をガス発生混合物に供給し、亜塩素酸塩と活性化剤を反応させることを前提としていないからである。【００１５】  本考案の二酸化塩素ガス発生パックは厚みが極めて薄いため、衣服のポケットやカバンに入れて、殺菌や消臭が必要な場所に持って行ける。また意志に反して、例えば振動で、二酸化塩素ガスが発生するおそれもない。
【図面の簡単な説明】
【００１６】
【図１】  本考案の実施の第一の形態に相当する二酸化塩素ガス発生装置の平面図。
【図２】  本考案の実施の第一の形態に相当する二酸化塩素ガス発生装置の断面図（Ａ）及び部分断面図（Ｂ）。
【図３】  本考案の実施の第二の形態に相当する二酸化塩素ガス発生装置の平面図。
【図４】  本考案の実施の第二の形態に相当する二酸化塩素ガス発生装置の断面図（Ａ）及び部分断面図（Ｂ）。
【図５】  本考案の実施の第三の形態に相当する二酸化塩素ガス発生装置の平面図。
【図６】  本考案の実施の第三の形態に相当する二酸化塩素ガス発生装置の断面説明図
【考案を実施するための形態】
【００１７】（実施の第一の形態）
図１及び図２に、本考案の実施の第一の形態に相当する二酸化塩素ガス発生装置を示す。図１は平面図、図２（Ａ）は図１中の線分ＸＸに沿った断面図、図２（Ｂ）は同じく部分断面図である（図２（Ｂ）ではハッチを省略）。ガス発生パック１０は水不透過性の扁平な袋体２と、袋体２に収納された積層体１（二酸化塩素ガス発生要素）とから成る。積層体１は多孔質層１Ａと多孔質層１Ｂで構成される。
【００１８】  多孔質層１Ａは、亜塩素酸塩（例えば亜塩素酸ナトリウム）を含む第一の成分を吸収させた親水性多孔質層（例えば紙）である。多孔質層１Ｂは、酸性物質またはｐＨ緩衝剤（例えばクエン酸−ナトリウム）を含む第二の成分を吸収させた親水性多孔質層（例えば紙）である。
【００１９】  扁平な袋体２は水不透過性、例えばポリエチレン製で、一方の側面に多孔質層１Ａ（第一の親水性多孔質層）に水分を供給するための窓２ａを有する。
【００２０】  窓２ａに水を滴下すると、この水は多孔質層１Ａから多孔質層１Ｂへ浸透する。多孔質層１Ｂ中の酸性物質またはｐＨ緩衝剤は浸透した水に溶解し、多孔質層１Ａへ拡散し、多孔質層１ＡのｐＨを低下させるので、亜塩素酸塩から二酸化塩素ガスが発生する。この二酸化塩素ガスは、袋体２の窓２ａから外部に放出される。
【００２１】（実施の第二の形態）
図３及び図４に、本考案の実施の第二の形態に相当する二酸化塩素ガス発生装置を示す。図３は平面図、図４（Ａ）は図３中の線分ＹＹに沿った断面図、図４（Ｂ）は同じく部分断面図（ハッチを省略）である。ガス発生パック２０は水不透過性の扁平な袋体１２と積層体１１（二酸化塩素ガス発生要素）から成る。積層体１１は多孔質層１Ａと多孔質層１Ｂで構成され、袋体１２に収納されている。扁平な袋体１２は水不透過性、例えばポリエチレン製で、一方の側面に、多孔質層１Ｂに水分を供給するための窓１２ａを有する。
【００２２】  多孔質層１Ａは、亜塩素酸塩（例えば亜塩素酸ナトリウム）を含む第一の成分を吸収させた親水性多孔質層である。多孔質層１Ｂは、酸性物質またはｐＨ緩衝剤（例えばクエン酸−ナトリウム）を含む第二の成分を吸収させた親水性多孔質層である。実施の第一の形態では多孔質層１Ａが窓１２ａに臨んでいるのに対し、第二の形態では多孔質層１Ｂが窓１２ａに臨んでいる。
【００２３】  窓１２ａから多孔質層１Ｂに水を滴下すると、この水は多孔質層１Ｂ中の酸性物質またはｐＨ緩衝剤を溶解するとともに、多孔質層１Ｂから多孔質層１Ａへ浸透する。溶解した酸性物質またはｐＨ緩衝剤は多孔質層１Ｂから多孔質層１Ａへ拡散し、多孔質層１ＡのｐＨを低下させるので、多孔質層１Ａに含まれる亜塩素酸塩から二酸化塩素ガスが発生する。二酸化塩素ガスは多孔質層１Ａから多孔質層１Ｂへ拡散し、袋体１２の窓１２ａから外部に放出される。
【００２４】（実施の第三の形態）
図５及び図６に本考案の実施の第三の形態に相当する二酸化塩素ガス発生装置を示す。図５は平面図、図６は図５中の線分ＺＺに沿った断面説明図（ただしハッチを省略）である。ガス発生パック３０は、水不透過性の扁平な袋体２２と、袋体２２に収納された積層体２１（二酸化塩素ガス発生要素）とから成る。積層体２１は多孔質層１Ａ、多孔質層１Ｃ、多孔質層１Ｂの３層で構成されている。
【００２５】  多孔質層１Ａは、亜塩素酸塩（例えば亜塩素酸ナトリウム）を含む第一の成分を吸収させた親水性多孔質層である。多孔質層１Ｂは、酸性物質またはｐＨ緩衝剤（例えばクエン酸−ナトリウム）を含む第二の成分を吸収させた親水性多孔質層である。多孔質層１Ｃは単なる親水性多孔質層である。
【００２６】  扁平な袋体２２は水不透過性、例えばポリエチレン製で、一方の側面に多孔質層１Ａ（第一の親水性多孔質層）に水分を供給するための窓２２ａを有する。
【００２７】  窓２２ａに水を滴下すると、この水は多孔質層１Ａから多孔質層１Ｃを経て多孔質層１Ｂへ浸透する。多孔質層１Ｂ中の酸性物質またはｐＨ緩衝剤は、浸透した水に溶解し、多孔質層１Ｃを経て多孔質層１Ａへ拡散し、多孔質層１ＡのｐＨを低下させるので、亜塩素酸塩から二酸化塩素ガスが発生する。この二酸化塩素ガスは、袋体２２の窓２２ａから外部に放出される。
【符号の説明】１      積層体（二酸化塩素ガス発生要素）
１Ａ    多孔質層
１Ｂ    多孔質層
１Ｃ    多孔質層
２      袋体
２ａ    窓
１０    ガス発生パック
１１    積層体（二酸化塩素ガス発生要素）
１２    袋体
１２ａ  窓
２０    ガス発生パック
２１    積層体（二酸化塩素ガス発生要素）
２２    袋体
２２ａ  窓
３０    ガス発生パック
【図１】
0003201950.tif 000003
【図２】
0003201950.tif 000004
【図３】
0003201950.tif 000005
【図４】
0003201950.tif 000006
【図５】
0003201950.tif 000007
【図６】
0003201950.tif 000008